(57)【要約】【課題】電子機器に異常が発生した場合に、電子機器の動作状況や設定情報を確実に通知することができる装着ボードおよび電子機器を提供する。【解決手段】情報出力部を有するプリンター本体２に対して着脱可能に構成された装着ボード３であって、プリンター本体２に接続するためのプリンター用インターフェイス２３と、ディスプレイ装置１２を接続するためのディスプレイインターフェイス１０と、ボード側操作子２２と、ボード側操作子２２の第１の操作により、プリンター本体２の動作状況および設定情報の少なくとも一方を含む機器情報の出力指令を、プリンター本体２およびディスプレイ装置１２に対して行うプリンター本体情報出力指令部４３と、を備えたものである。【選択図】図２
2011198212.tif 000002
【特許請求の範囲】
【請求項１】
情報出力部を有する第１の電子機器に対して着脱可能に構成された装着ボードであって、
前記第１の電子機器に接続するための第１インターフェイスと、
前記第１の電子機器以外の、情報出力部を有する第２の電子機器を接続するための第２インターフェイスと、
ボード側操作子と、
前記ボード側操作子の第１の操作により、前記第１の電子機器の動作状況および設定情報の少なくとも一方を含む電子機器情報の出力指令を、前記第１の電子機器および前記第２の電子機器に対して行う電子機器情報出力指令部と、を備えたことを特徴とする装着ボード。
【請求項２】
前記第１の電子機器は、前記電子機器情報の出力指令に対する応答として、前記電子機器情報を前記装着ボードに送信し、
前記電子機器情報出力指令部は、前記第１の電子機器に対して前記電子機器情報の出力指令を行い、前記第１の電子機器から前記電子機器情報を受信した後、前記第２の電子機器に対して当該電子機器情報の出力指令を行うことを特徴とする請求項１に記載の装着ボード。
【請求項３】
前記ボード側操作子の前記第１の操作とは異なる第２の操作により、前記装着ボードの動作状況および設定情報の少なくとも一方を含むボード情報の出力指令を、前記第１の電子機器および前記第２の電子機器に対して行うボード情報出力指令部をさらに備えたことを特徴とする請求項１に記載の装着ボード。
【請求項４】
前記ボード側操作子は、１のスイッチにより構成され、
前記第１の操作と前記第２の操作は、前記１のスイッチの押下間隔、押下強度、押下時間、連続押下回数、前記第１の電子機器に搭載された本体側操作子との同時押下、のうち少なくとも１が異なることを特徴とする請求項２に記載の装着ボード。
【請求項５】
前記ボード情報には、複数の設定情報が含まれており、
操作者または操作内容を示す操作情報を取得する操作情報取得部をさらに備え、
前記ボード情報出力指令部は、前記操作情報取得部により取得した操作情報に応じて、前記複数の設定情報のうちいずれか１以上の設定情報の出力を指令することを特徴とする請求項２または３に記載の装着ボード。
【請求項６】
前記第２の電子機器の情報出力部は、表示、印刷、通信のうちいずれか１以上の手段により情報出力を行うことを特徴とする請求項１ないし５のいずれか１項に記載の装着ボード。
【請求項７】
請求項３ないし６のいずれか１項に記載の装着ボードを装着可能であると共に前記第１の電子機器として機能する電子機器であって、
前記電子機器情報出力指令部の指令にしたがって、前記電子機器情報を出力する電子機器情報出力部と、
前記ボード情報出力指令部の指令にしたがって、前記ボード情報を出力するボード情報出力部と、を備えたことを特徴とする電子機器。
【請求項８】
前記電子機器情報出力部および前記ボード情報出力部は、それぞれ前記電子機器情報および前記ボード情報を、表示、印刷、通信のうちいずれか１以上の手段を用いて出力することを特徴とする請求項７に記載の電子機器。
【発明の詳細な説明】
【技術分野】
【０００１】
本発明は、情報出力部を有する電子機器に対し、着脱可能に構成された装着ボード、および当該装着ボードが装着される電子機器に関するものである。
【背景技術】
【０００２】
従来、この種の電子機器として、何らかの異常が発生した場合、ネットワーク通信機能を利用して、ユーザーに通知を行う異常通知手段を備えたデジタル複合機が知られている（特許文献１参照）。これにより、機能の利用停止を、タイムリーに通知できるといった効果を奏する。
【先行技術文献】
【特許文献】
【０００３】
【特許文献１】特開２００２−２３６５７６号公報
【発明の概要】
【発明が解決しようとする課題】
【０００４】
しかしながら、このような電子機器のネットワーク通信機能に不具合が発生した場合、ユーザーは電子機器にどのような異常が生じているかを確認する方法がない。このため、ユーザーが操作を行ったつもりでも、実際は電子機器が動作していないという事態が生じる可能性がある。また、動作状況（異常の原因など）が通知されないため、原因究明に時間を要し、システムの修復に手間がかかるといった問題もある。さらに、修復作業の人的ミスにより、設定情報が消失する危険性もある。
【０００５】
本発明は、電子機器に異常が発生した場合に、電子機器の動作状況や設定情報を確実に通知することができる装着ボードおよび電子機器を提供することを課題とする。
【課題を解決するための手段】
【０００６】
本発明の装着ボードは、情報出力部を有する第１の電子機器に対して着脱可能に構成された装着ボードであって、第１の電子機器に接続するための第１インターフェイスと、第１の電子機器以外の、情報出力部を有する第２の電子機器を接続するための第２インターフェイスと、ボード側操作子と、ボード側操作子の第１の操作により、第１の電子機器の動作状況および設定情報の少なくとも一方を含む電子機器情報の出力指令を、第１の電子機器および第２の電子機器に対して行う電子機器情報出力指令部と、を備えたことを特徴とする。
【０００７】
この構成によれば、第１の電子機器に何らかの異常が生じて、第１の電子機器側で電子機器情報の出力指令を行えなくなった場合にも、装着ボード側から情報出力指令を行うことができる。また、情報出力指令は、第１の電子機器および、装着ボードを介して接続した第２の電子機器に対して行うため、第１の電子機器と第２の電子機器のいずれかの情報出力部に異常があった場合でも、確実に情報出力を行うことができる。これにより、ユーザーに対し確実に電子機器情報を通知できるため、第１の電子機器の異常原因の解析を迅速に行うことができると共に、設定情報の消失を防ぐことができる。
【０００８】
この場合、第１の電子機器は、電子機器情報の出力指令に対する応答として、電子機器情報を前記装着ボードに送信し、電子機器情報出力指令部は、第１の電子機器に対して電子機器情報の出力指令を行い、第１の電子機器から電子機器情報を受信した後、第２の電子機器に対して当該電子機器情報の出力指令を行うことを特徴とする。
【０００９】
この構成によれば、第１の電子機器の電子機器情報を定期的に取得し、装着ボード内に記憶しておく必要がない。また、第２の電子機器に対して、最新の電子機器情報の出力指令を行うことができる。
【００１０】
この場合、ボード側操作子の第１の操作とは異なる第２の操作により、装着ボードの動作状況および設定情報の少なくとも一方を含むボード情報の出力指令を、第１の電子機器および第２の電子機器に対して行うボード情報出力指令部をさらに備えていることが好ましい。
【００１１】
この構成によれば、ユーザーに対し、電子機器情報だけでなくボード情報についても確実に通知することができる。これにより、装着ボード側で、重要な処理や設定情報の管理を行っている場合、そのログ情報や設定情報の消失を防ぐことができる。
【００１２】
この場合、ボード側操作子は、１のスイッチにより構成され、第１の操作と第２の操作は、１のスイッチの押下間隔、押下強度、押下時間、連続押下回数、第１の電子機器に搭載された本体側操作子との同時押下、のうち少なくとも１が異なることが好ましい。
【００１３】
これらの構成によれば、１のスイッチの操作の仕方を変えることにより、出力する情報（電子機器情報またはボード情報）を可変することができる。つまり、複数の操作子を必要としないため、装着ボードの小型化および低廉化を図ることができる。
【００１４】
この場合、ボード情報には、複数の設定情報が含まれており、操作者または操作内容を示す操作情報を取得する操作情報取得部をさらに備え、ボード情報出力指令部は、操作情報取得部により取得した操作情報に応じて、複数の設定情報のうちいずれか１以上の設定情報の出力を指令することが好ましい。
【００１５】
この構成によれば、取得した操作情報に応じて、複数の設定情報のうち出力対象となる設定情報を可変することができる。例えば、操作情報から、操作者が所定の権限を有するものであると判別できた場合は、全ての設定情報の出力指令を行い、操作者が所定の権限を有しないと判別できた場合は、重要度の低い一部の設定情報の出力指令を行う、などの処理が考えられる。これにより、使用者権限が与えられていない者は、重要な設定情報を出力することができないため、セキュリティーの強化を図ることができる。
【００１６】
この場合、第２の電子機器の情報出力部は、表示、印刷、通信のうちいずれか１以上の手段により情報出力を行うことが好ましい。
【００１７】
この構成によれば、第２の電子機器により、表示画面への表示、印刷物への印刷、並びに電子メール、Ｗｅｂアプリケーション、電話およびＦＡＸを用いた通信、などによって、情報を出力することができる。
【００１８】
本発明の電子機器は、上記した装着ボードを装着可能であると共に第１の電子機器として機能する電子機器であって、電子機器情報出力指令部の指令にしたがって、電子機器情報を出力する電子機器情報出力部と、ボード情報出力指令部の指令にしたがって、ボード情報を出力するボード情報出力部と、を備えたことを特徴とする。
【００１９】
この構成によれば、電子機器本体に何らかの異常が生じた場合でも、自機器の動作状況や設定情報を出力することが可能な電子機器を実現することができる。
【００２０】
この場合、電子機器情報出力部およびボード情報出力部は、それぞれ電子機器情報およびボード情報を、表示、印刷、通信のうちいずれか１以上の手段を用いて出力することが好ましい。
【００２１】
この構成によれば、第１の電子機器により、表示画面への表示、印刷物への印刷、並びに電子メール、Ｗｅｂアプリケーション、電話およびＦＡＸを用いた通信、などによって、情報を出力することができる。
【図面の簡単な説明】
【００２２】
【図１】第１実施形態に係るレシートプリンターの外観図である。
【図２】第１実施形態に係るレシートプリンターの制御ブロック図である。
【図３】第１実施形態に係るレシートプリンターおよびＰＯＳ端末の機能ブロック図である。
【図４】第１実施形態におけるボード側操作子によるプリンター本体および装着ボードの情報出力操作の一例を示す図である。
【図５】第１実施形態に係るレシートプリンターの情報出力処理を説明するフローチャートである。
【図６】第２実施形態に係るレシートプリンターの機能ブロック図である。
【発明を実施するための形態】
【００２３】
以下、添付の図面を参照して、本発明の一実施形態に係る電子機器および装着ボードについて説明する。なお、本実施形態では第１電子機器として、スーパーマーケット等の小売店舗においてレシートを発行するプリンター本体２を例示し、第２電子機器として、各種情報を表示するディスプレイ装置１２を例示する。
【００２４】
図１は、第１実施形態に係るレシートプリンター１の外観図である。レシートプリンター１は、ＰＯＳ（Point  Of  Sales）端末（図２参照）で処理した処理データを印刷するものであり、プリンター本体（第１電子機器）２および装着ボード３から成る。プリンター本体２は、ＰＯＳ端末から装着ボード３を介して処理データを取得し、これをレシート用紙に印刷する。また、プリンター本体２は、印刷済みのレシート５を、本体上部に設けられたレシート排出口４から排出する。
【００２５】
同図に示すように、プリンター本体２の背面（図示手前側）下部には、装着ボード３を装着するためのボード装着部６が設けられている。また、ボード装着部６の最奥部には、装着ボード３を電気的に接続するための装着ボード用インターフェイス７（以下、装着ボード用Ｉ／Ｆと記載と記載する）が設けられている。また、プリンター本体２の前面（図示奥側）には、本体側操作子および表示画面が設けられている（図２参照）。
【００２６】
一方、装着ボード３は、上記のプリンター本体２に対して着脱可能に構成され、その装着側（図示奥側）には、プリンター本体２と電気的に接続されるプリンター用インターフェイス２３（以下、プリンター用Ｉ／Ｆと記載と記載する）（第１インターフェイス）が設けられている。当該装着ボード３は、使用環境に応じたインターフェイス（周辺機器用インターフェイス）を提供するためのインターフェイスボードであり、上記装着側と逆側（図示手前側）の露出面には、周辺機器用インターフェイス２１（以下、周辺機器用Ｉ／Ｆと記載する）（第２インターフェイス）として、ＵＳＢインターフェイス８，９、ディスプレイインターフェイス１０およびイーサネット（登録商標）インターフェイス１１が設けられている。その他、周辺機器用Ｉ／Ｆ２１として、パラレルインターフェイスや無線ＬＡＮインターフェイス等を設けても良い。また、装着ボード３は、周辺機器用Ｉ／Ｆ２１と同一の露出面に、ボード側操作子（スイッチ）２２を備えている。なお、露出面は、プリンター本体２に対する装着ボード３の装着によって、プリンター本体２の背面と面一となる。また、装着ボード３には、周辺機器用インターフェイスを介して、ディスプレイ装置（第２電子機器）１２のように情報出力機能を有する電子機器が接続される。ディスプレイ装置１２の他に、プリンター、ＦＡＸ等を接続しても良い。
【００２７】
次に、図２を参照し、第１実施形態に係るレシートプリンター１の制御構成について説明する。装着ボード３は、周辺機器用Ｉ／Ｆ２１、ボード側操作子２２、プリンター用Ｉ／Ｆ２３、ＣＰＵ（Central  Processing  Unit）２４、ＲＯＭ（Read  Only  Memory）２５およびＲＡＭ（Random  Access  Memory）２６を備えている。
【００２８】
周辺機器Ｉ／Ｆ２１は、図１に示したＵＳＢインターフェイス８，９、ディスプレイインターフェイス１０、イーサネット（登録商標）インターフェイス１１を指し、ＰＯＳ端末２９をはじめ、ディスプレイ装置、キーボード、キャッシュドロアおよびバーコードスキャナー等のような周辺機器を接続するために用いられる。ボード側操作子２２は、装着ボード３自身に対する操作の他、プリンター本体２およびディスプレイ装置１２に対する各種操作を行う。また、ボード側操作子２２は、ラッチ型（押下されると“０”、押下が解除されると“１”、押下され続けると“０”の状態が続くもの）の１のスイッチにより構成される。プリンター用Ｉ／Ｆ２３は、プリンター本体２と接続される専用インターフェイスであり、プリンター本体２に対して各種信号を送信する。
【００２９】
ＣＰＵ２４は、装着ボード３の統括制御を行う。ＲＡＭ２６は、ＣＰＵ２４が各種処理を実行する際のワークエリアとして用いられる。ＲＯＭ２５は、ＣＰＵ２４が各種処理を実行するための制御プログラムや制御データを記憶する。なお、以下の説明において、ＲＯＭ２５内の制御プログラムを記憶する領域を制御プログラム記憶領域２７、制御データを記憶する領域を制御データ記憶領域２８と称する。
【００３０】
一方、プリンター本体２は、ＣＰＵ３１、ＲＯＭ３２、ＲＡＭ３３、印刷機構３４、表示画面３５、本体側操作子３６および装着ボード用Ｉ／Ｆ７を備えている。ＣＰＵ３１は、プリンター本体２の統括制御を行う。ＲＯＭ３２は、ＣＰＵ３１が各種処理を実行するための制御プログラムや制御データを記憶する。ＲＡＭ３３は、ＣＰＵ３１が各種処理を実行する際のワークエリアとして用いられる。なお、これらＣＰＵ３１、ＲＯＭ３２およびＲＡＭ３３は、プリンター本体２内にＣＰＵボード３７として組み込まれている。
【００３１】
印刷機構３４は、ＰＯＳ端末２９の処理データをレシート用紙に印刷する。また、ユーザーの指令にしたがって、プリンター本体２の設定情報（通信設定、モード設定などの設定値）や動作状況を出力する（印刷する）。表示画面３５は、液晶ディスプレイにより構成され、操作内容や、用紙切れなどのメッセージを表示する。また、印刷機構３４と同様に、ユーザーの指令にしたがって、プリンター本体２の設定情報や動作状況を出力する（表示する）。本体側操作子３６は、電源のＯＮ／ＯＦＦ、モード切替、レシートの排出並びに設定情報や動作状況の出力（印刷および／または表示）など、ユーザーが各種操作を行うために用いられる。また、本体側操作子３６は、プリンター本体２の各操作項目に対応する複数の操作子を有している。装着ボード用Ｉ／Ｆ７は、装着ボード３を接続するための専用インターフェイスであり、装着ボード３からの各種信号を受信する。
【００３２】
次に、図３を参照し、レシートプリンター１、ＰＯＳ端末２９およびディスプレイ装置１２の機能構成について説明する。ＰＯＳ端末２９は、主な機能構成として、会計処理部６１および印刷データ生成部６２を有している。会計処理部６１は、ＰＯＳアプリケーションを有し、オペレーターにより入力された商品情報に基づいて会計処理を行う。また、印刷データ生成部６２は、会計処理部６１による会計処理結果に基づいて、レシート５に印刷するための印刷データを生成する。
【００３３】
ディスプレイ装置１２は、主な機能構成として、情報出力部１７を有している。情報出力部１７は、ディスプレイ装置１２の表示画面１３への表示によって情報を出力する。また、情報出力部１７は、プリンター本体情報出力部１８およびボード情報出力部１９から成る。プリンター本体情報出力部１８は、プリンター本体２の設定情報や動作状況を出力（表示）する。また、ボード情報出力部１９は、装着ボード３の設定情報や動作状況を出力(表示)する。
【００３４】
装着ボード３は、主な機能構成として、印刷データ受信部４１、印刷データ送信部４２、装着ボード情報記憶部４６および情報出力指令部４７を有している。
【００３５】
印刷データ受信部４１は、ＰＯＳ端末２９の印刷データ生成部６２にて生成された印刷データを受信する。また、印刷データ送信部４２は、受信した印刷データを、プリンター用Ｉ／Ｆ２３を介してプリンター本体２に送信する。
【００３６】
装着ボード情報記憶部４６は、装着ボード３の設定情報（通信設定、モード設定などの設定値）および動作状況（正常または異常、および異常の場合その種類を示す情報）を記憶するものであり、ＲＡＭ２６によってその主要部が構成されている。なお、以下の説明では、装着ボード３の設定情報および動作状況を「ボード情報」と総称する。
【００３７】
情報出力指令部４７は、ボード側操作子２２の操作にしたがい、プリンター本体２およびディスプレイ装置１２の両方に対して指令を行う。また、情報出力指令部４７は、プリンター本体情報出力指令部４３およびボード情報出力指令部４４を有し、ボード側操作子２２の操作の仕方に応じて、プリンター本体情報および／またはボード情報の出力指令を行う。ここで、「ボード側操作子２２の操作の仕方」とは、スイッチの押下間隔、押下強度、押下時間、連続押下回数、プリンター本体２に搭載された本体側操作子３６との同時押下、のうち少なくとも１の要因により定義される。なお、出力情報の項目および操作方法については、後に詳述する。
【００３８】
一方、プリンター本体２は、主な機能構成として、レシート印刷部５０、プリンター本体情報記憶部５６および情報出力部５７を有している。
【００３９】
レシート印刷部５０は、装着ボード用Ｉ／Ｆ７を介して、印刷データ送信部４２から送信された印刷データを受信し、これをレシート用紙に印刷する。
【００４０】
プリンター本体情報記憶部５６は、プリンター本体２の設定情報（通信設定、モード設定などの設定値）および動作状況を記憶するものであり、ＲＡＭ２６によってその主要部が構成されている。なお、以下の説明では、プリンター本体２の設定情報および動作状況を「プリンター本体情報（電子機器情報）」と総称する。
【００４１】
情報出力部５７は、表示画面３５への表示および印刷機構３４による印刷によって情報を出力する。但し、表示画面または印刷機構に異常が発生している場合は、いずれか一方から出力されることとなる。また、情報出力部５７は、ディスプレイ装置１２の情報出力部１７と同様に、プリンター本体情報出力部５３およびボード情報出力部５４から成る。プリンター本体情報出力部５３は、プリンター本体２のプリンター本体情報（プリンター本体２の設定情報や動作状況）を出力（表示および印刷）する。また、ボード情報出力部５４は、装着ボード３のボード情報（装着ボード３の設定情報や動作状況）を出力(表示および印刷)する。
【００４２】
次に、図４を参照し、装着ボード３によるプリンター本体２および装着ボード３の情報出力について説明する。同図は装着ボード３のボード側操作子２２によるプリンター本体２および装着ボード３の情報出力操作の一例を示す図である。
【００４３】
同図に示すように、まずボード側操作子２２の押下（短押）する回数によって出力する情報項目が選択され、出力指令を行う。同図の例では、ボード側操作子２２の短押１回（第１の操作）で「プリンター本体情報」、短押２回（連続２回押下，第２の操作）で「ボード情報」、長押（１秒以上押下）（第３の操作）で項目「プリンター本体情報およびボード情報」を選択できる。
【００４４】
なお、上記ボード側操作子２２の操作内容が情報出力指令部４７（図３参照）に認識されることで、プリンター本体２および、ディスプレイ装置１２に出力指令および対象となる出力情報が送信される。例えば、情報出力指令部４７がボード側操作子２２による１回短押の操作（第１の操作）を認識することにより、「プリンター本体情報」の出力指令がプリンター本体２および、ディスプレイ装置１２に送信される。これに対し、プリンター本体２の情報出力部５７は、プリンター本体情報を出力すると共に、プリンター本体情報記憶部５６からプリンター本体情報を読み出して装着ボード３に送信する。さらに、この情報が装着ボード３によってディスプレイ装置１２に送信されることで、プリンター本体情報が、ディスプレイ装置１２に表示される。
このように、１のスイッチであるボード側操作子２２の簡易的な操作によって、出力する情報の項目を選択できる。
【００４５】
次に、図５のフローチャートを参照し、装着ボード３の操作によるプリンター本体情報および装着ボード情報の情報出力処理の手順について説明する。なお、プリンター本体２では異常が発生しており、本体側操作子３６は使用できなくなっているものとする。なお、このような事象は、ユーザーの誤った操作（ヒューマンエラー）や、プリンター本体２内の制御基板がハングしていたりする場合に起こり得る。
【００４６】
まず、装着ボード３は、ユーザーによるボード側操作子２２（スイッチ）の操作入力に基づいて（Ｓ０１）、操作内容を判別する（Ｓ０２）。操作内容がプリンター本体情報の出力指令であると判別した場合は（Ｓ０２：Ｙｅｓ）、プリンター本体２に対して該当する情報の出力指令を送信する（Ｓ０３）。また、プリンター本体情報の出力指令ではないと判別した場合は（Ｓ０２：Ｎｏ）、ボード情報の出力指令およびボード情報をプリンター本体２およびディスプレイ装置１２に送信する（Ｓ０４）。
【００４７】
プリンター本体２は、装着ボード３から情報出力指令を受け取ると、当該情報出力指令の出力対象の情報が、プリンター本体情報の出力指令であるか、ボード情報の出力指令であるかを判別する（Ｓ０５）。ここで、プリンター本体情報の出力指令であると判断した場合は（Ｓ０５：Ｙｅｓ）、プリンター本体情報を装着ボード３に送信する（Ｓ０６）。これに対し、装着ボード３はディスプレイ装置１２に対して、プリンター本体情報の出力指令およびプリンター本体情報を送信する（Ｓ０７）。さらに、プリンター本体２では、プリンター本体情報を装着ボード３に送信（Ｓ０６）した後、プリンター本体２の表示画面３５に、プリンター本体情報を出力する（Ｓ０８）。
【００４８】
また、プリンター本体情報の出力指令ではないと判別した場合は（Ｓ０５：Ｎｏ）、装着ボード３から受信したボード情報を表示および印刷によって出力する（Ｓ０９）。
【００４９】
一方、ディスプレイ装置１２は、装着ボード３からボード情報の出力指令およびボード情報を受信したとき（Ｓ０４）、当該装着ボード情報を出力する（Ｓ１０）。また、装着ボード３からプリンター本体情報の出力指令およびプリンター情報を受信したとき（Ｓ０７）、当該プリンター情報を出力する（Ｓ１１）。
【００５０】
以上説明したとおり、第１実施形態によれば、プリンター本体２に何らかの不具合が発生し、本体側操作子３６による操作が不能となった場合でも、装着ボード３に設けられている、ボード側操作子２２からの操作によってプリンター本体情報やボード情報の出力指令を、プリンター本体２およびディスプレイ装置１２に対して行うことができる。これにより、プリンター本体２またはディスプレイ装置１２のいずれかに異常が発生している場合でも、他方から情報出力を行うことができるため、より高い信頼性で情報を得ることが可能となる。これにより、プリンター本体２を再起動する必要が発生しても、すぐにもとの設定状態を再現できるため、作業を早期に復旧させることができる。さらに、プリンター本体２は表示画面および印刷機構といった２つの情報出力手段を備えているため、例えばディスプレイ装置１２および表示画面に異常が発生している場合でも、印刷機構から情報出力を行うことができる。このため、さらに確実に情報を出力することができる。
【００５１】
また、本実施形態のように、装着ボード３のボード側操作子２２を１のスイッチにより構成し、スイッチの操作の仕方を変えることにより出力する情報を可変できる構成にしたことで、装着ボード３の小型化を図ることができ、ひいてはレシートプリンター１の小型化を図ることができる。
【００５２】
なお、上記の実施形態において、プリンター本体２は、情報出力部５７の構成要素として表示画面３５や印刷機構３４を備えたが、さらに通信手段を備えても良い。また、装着ボード３の周辺機器用Ｉ／Ｆ２１に、各種通信機器を接続し、これを用いて情報出力を行うようにしても良い。これにより、周辺機器用Ｉ／Ｆ２１を経由したメール、電話、ＦＡＸ等の周辺機器と連係することによる多様な通信手段を利用することができる。また、例えば、ＵＳＢインターフェイス８，９に外部メモリを接続し、各種情報を外部メモリに保存できるようにしても良い。
【００５３】
また、情報出力部５７の構成要素として複数の情報出力手段を備えている場合、スイッチの操作の仕方によって、表示、印刷、通信の中からいずれかの情報出力手段を選択可能としても良い。例えば、出力する情報を選択するときに、プリンター本体２側の操作子Ａを押しながら、出力情報の選択時の操作を行うことで、プリンター本体２では、表示、印刷、通信の全ての情報出力手段を用いて情報を出力する等の方法が考えられる。これにより、プリンター本体２の表示画面３５に異常が発生している場合でも、別の手段を用いて確実に情報を出力することが可能となる。
【００５４】
なお、上記の実施形態では、ボード側操作子２２（１のスイッチ）の連続押下回数および押下時間によって、各項目を選択したが、押下間隔、押下強度、プリンター本体２に搭載された本体側操作子３６との同時押下、などの違いにより、各項目を選択可能としても良い。
【００５５】
また、上記の実施形態では、装着ボード３のボード側操作子２２を１のスイッチにより構成したが、出力する情報（プリンター本体情報のみ、ボード情報のみ、プリンター本体情報およびボード情報、のいずれか）に対応する複数の操作子により構成しても良い。また、操作性を向上させるため、装着ボード３本体からスイッチを有線で引き出せる構成にしたり、装着ボード３に、キーボードやマウス、タッチパネル等を接続可能な構成にしても良い。
【００５６】
次に、図６を参照し、本発明の第２実施形態について説明する。上記の第１実施形態では、装着ボード３にＰＯＳ端末２９が接続される構成としたが、装着ボード３をＰＯＳ端末として機能させても良い。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５７】
図６は、第２実施形態に係るレシートプリンター１の機能ブロック図である。本実施形態のレシートプリンター１は、第１実施形態（図２参照）と比較して、装着ボード３から印刷データ受信部４１が省略され、会計処理部６１、印刷データ生成部６２および操作情報取得部４５が追加された構成となっている。会計処理部６１は、ＰＯＳアプリケーションを主要部として会計処理を行う。また、印刷データ生成部６２は、会計処理部６１による会計処理結果に応じて、レシートに印刷するための印刷データを生成する。このように、装着ボード３内をＰＯＳ端末２９として機能させることに伴い、ＰＯＳ端末２９を接続するためのインターフェイスが省略され、代わりに、会計処理用のキーボード７０を接続するためのインターフェイスが必要となる。また、イーサネット（登録商標）インターフェイス１１を経由してＰＯＳサーバーと通信可能となっている。さらに、装着ボード３の操作情報取得部４５は、後述する操作情報入力部７２の入力結果を取得し、プリンター本体情報出力指令部４３およびボード情報出力指令部４４に出力する。
【００５８】
一方、キーボード７０は、商品情報入力部７１および操作情報入力部７２を有している。商品情報入力部７１は、オペレーターが商品情報を入力するために用いられる。装着ボード３の会計処理部６１は、商品情報入力部７１により入力された商品情報に基づいて、ＰＯＳサーバー内の商品マスタを参照し、商品データを取得する。操作情報入力部７２は、操作者または操作内容を示す操作情報を入力する。具体的には、キーボード７０に設けられた鍵（図示省略）の位置により操作情報を入力する。この鍵は、「店員」、「管理者」、「教育」および「精算」のいずれかの位置に合わせることができる。つまり、一般的な店員が操作する場合は、「店員」に位置合わせし、店長やマネージャーなどが操作する場合は「管理者」に位置合わせする。また、オペレーター教育のために用いる場合は「教育」に位置合わせし、精算時の処理を行う場合は「精算」に位置合わせする。
【００５９】
ところで、本実施形態の情報出力指令部４７は、操作情報取得部４５により取得した操作情報に応じて、設定情報の出力項目を決定する。設定情報の出力項目としては通信設定、モード設定等がある。具体的には、鍵が「管理者」に位置合わせされた場合、全ての出力項目について情報出力指令を行う。また、鍵がその他の位置に位置合わせされた場合は、重要度の低い一部の出力項目（例えば、印刷に係るモード設定）についてのみ情報出力指令を行う。なお、動作状況については、鍵の位置に関係なく情報出力指令を行う。
【００６０】
以上説明したとおり、第２実施形態によれば、取得した操作情報に応じて、複数の設定情報のうち出力対象となる設定情報を可変することができる。これにより、使用者権限が与えられていない者は、重要な設定情報を出力することができないため、セキュリティーの強化を図ることができる。
【００６１】
なお、上記の実施形態では、キーボード７０の鍵の位置に基づいて操作情報を取得したが、操作者を特定できるＩＤカード等を読み取ることによって、操作情報を取得しても良い。
【００６２】
以上、２つの実施形態を示したが、本発明は、レシートプリンター１以外の電子機器にも適用可能である。例えば、レシートプリンター以外のプリンター、表示装置、プロジェクターなど、設定情報を保持する機器が考えられる。
【００６３】
また、上記の各実施形態では、プリンター本体情報およびボード情報とは、それぞれプリンター本体および装着ボードの動作状況および設定情報を指すものとしたが、動作状況および設定情報のいずれか一方のみを指すものとしても良い。
【００６４】
また、上記の各実施形態では、第２の電子機器としてディスプレイ装置を例示したが、プリンター、ＦＡＸ機器、コンピューターなど、表示手段以外の情報出力手段を有する電子機器を用いても良い。
【００６５】
また、上記の各実施形態に示したレシートプリンター１（プリンター本体２または装着ボード３）の各部をプログラムとして提供することが可能である。また、そのプログラムを記録媒体（図示省略）に格納して提供することも可能である。すなわち、コンピューターを、本実施形態のプリンター本体２または装着ボード３の各部として機能させるためのプログラム、およびそれを記録した記録媒体も、本発明の権利範囲に含まれる。その他、本発明の要旨を逸脱しない範囲で、適宜変更が可能である。
【符号の説明】
【００６６】
１：レシートプリンター、  ２：プリンター本体、  ３：装着ボード、１０：ディスプレイインターフェイス、  １７：情報出力部（ディスプレイ装置側）、  １８：プリンター本体情報出力部（ディスプレイ装置側）、  １９：ボード情報出力部（ディスプレイ装置側）、  ２２：ボード側操作子、  ４３：プリンター本体情報出力指令部、  ４４：ボード情報出力指令部、  ４７：情報出力指令部  ５３：プリンター本体情報出力部（プリンター本体側）、  ５４：ボード情報出力部（プリンター本体側）、  ５７：情報出力部（プリンター本体側）
【図１】
2011198212.tif 000003
【図２】
2011198212.tif 000004
【図３】
2011198212.tif 000005
【図４】
2011198212.tif 000006
【図５】
2011198212.tif 000007
【図６】
2011198212.tif 000008